(57)【要約】【課題】従来は対より構造であるため、同軸構造に比べて長手方向に対して安定し難い構造で、対間スキューが大きくなり易く、また、電源線については、高速信号伝送での特性確保と電源線の電流容量を増大するには、電源ケーブルが太くなってしまうという欠点もあった。【解決手段】高周波伝送の信号線と電源線からなる高速インターフェースケーブルにおいて、シース内に中心介在を施し、その周りに４心以上の偶数本で対を形成した同軸信号線をケーブル断面からみて中心介在の中央部からほぼ同一距離すなわち同層になるように配置させ、かつ前記複数本からなる同軸信号線間の隙間に絶縁被覆された１本または複数本からなる細径絶縁電源線の＋Ｖｃｃラインを挿入し、細径絶縁電源線の電源ＧＮＤラインは別に設けずに同軸信号線の同軸ＧＮＤラインに適用させることにより対間の低スキュー化と細径化をはかった低スキュー差動伝送用多心丸型複合ケーブル。【選択図】図１
2010033879.tif 000002
【特許請求の範囲】
【請求項１】
高周波伝送の信号線と電源線からなる高速インターフェースケーブルにおいて、シース内に中心介在を施し、その周りに、４心以上の偶数本で対を形成した同軸信号線をケーブル断面からみて中心介在の中央部からほぼ同一距離すなわち同層になるように配置させ、かつ前記複数本からなる同軸信号線間の隙間に絶縁被覆された１本または複数本からなる細径絶縁電源線の＋Ｖｃｃラインを挿入し、細径絶縁電源線の電源ＧＮＤラインは別に設けずに同軸信号線の同軸ＧＮＤラインに適用させることにより対間の低スキュー化と細径化をはかったことを特徴とする低スキュー差動伝送用多心丸型複合ケーブル。
【請求項２】
請求項１の複数本からなる同軸信号線を、コストメリットと対間スキューを一定に保つために同一色にし、複数本からなる細径絶縁電源線の＋Ｖｃｃラインの絶縁体を色違いにすることにより、結線時における同軸信号線の識別が容易になることを特徴とする請求項１に記載の低スキュー差動伝送用多心丸型複合ケーブル。
【発明の詳細な説明】
【技術分野】
【０００１】
本発明は、主として、高速画像伝送に対応したカメラリンクケーブル等に使用され、特に、対間の伝播遅延時間差（以下、スキュー）性能の向上による距離延長がはかれるだけでなく、電源線のインピーダンスの低減による耐ノイズ性能の向上をはかった低スキュー差動伝送用多心丸型複合ケーブルに関するものである。
【背景技術】
【０００２】
現在、高速画像伝送に対応するため、高速・耐ノイズ対策をはかったケーブルの距離延長や伝送信号性能に対して厳しい性能が要求されてきている。一方、コネクタのサイズは益々小型化の傾向にある。このように、適用コネクタで規定される外径内で電源線を収納出来るスペースが決められる。
【０００３】
始めに、特開２００４−１４６３５４号公報（特許文献１）の場合は、複数の信号線は、丸型ケーブルであるが、対より線であって、グラウンド線や電源線を追加しないで、外被シールドと隣接して配置することにより、インピーダンスコントロールやスキューコントロールを行うことが記載されているが、外被シールドに隣接して配置しなければならないことが記載されている。
【０００４】
また、特開２００３−３３８２２４号公報（特許文献２）の場合、スキューの劣化を防止するフラット構造が記載されている。
【０００５】
次に、特開２００２−３５８８４１号公報（特許文献３）の場合、対内スキューを小さくした構造が記載されている。
【０００６】
【特許文献１】特開２００４−１４６３５４号公報
【特許文献２】特開２００３−３３８２２４号公報
【特許文献３】特開２００２−３５８８４１号公報
【発明の開示】
【発明が解決しようとする課題】
【０００７】
このように、従来の特許文献１の場合、丸型ケーブルであるが、対より線であって外被シールドと隣接して配置しなければならないことと対よりによるスキュー劣化はまぬがれない。このように、従来の対より構造は、図２に示すように、本発明の同軸タイプ構造に比べて、信号対１と信号対２のケーブル中心からの距離がケーブル長手方向に対して安定し難い構造ため、対間スキューが大きくなり易いという欠点があった。また、特許文献２は、フラット構造であるので、用途に制限を受け、本発明のような丸型構造ではない。更に、特許文献３は、対内スキューを小さくした構造が記載されているが、本発明のような対間スキューを小さくすることを目的としたものではない。また、従来の丸型複合ケーブル１´の電源線については、絶縁電源線の＋Ｖｃｃラインと絶縁電源線のＧＮＤラインの２本で構成されている。従って、従来ケーブルの最大欠点の高速信号伝送での特性（減衰量劣化、位相歪み、特性インピーダンスのバラツキ、スキューのバラツキ、ＤＣ抵抗値等）確保と電源線の電流容量を増大するには、電源ケーブルが太くなってしまうという欠点もあった。
【課題を解決するための手段】
【０００８】
本発明は、これらの問題を解決するために、鋭意検討した結果、対間スキューの向上を目的として、対より線の代わりにスキューが安定している同軸信号線を使用した低スキュー差動伝送用多心丸型複合ケーブルであって、
本発明の実施例１は、高周波伝送の信号線と電源線からなる高速インターフェースケーブルにおいて、シース内に中心介在を施し、その周りに、４心以上の偶数本で対を形成した同軸信号線をケーブル断面からみて中心介在の中央部からほぼ同一距離すなわち同層になるように配置させ、かつ前記複数本からなる同軸信号線間の隙間に絶縁被覆された１本または複数本からなる細径絶縁電源線の＋Ｖｃｃラインを挿入し、細径絶縁電源線の電源ＧＮＤラインは別に設けずに同軸信号線の同軸ＧＮＤラインに適用させることにより対間の低スキュー化と細径化をはかった低スキュー差動伝送用多心丸型複合ケーブルであり、実施例２は、第１の複数本からなる同軸信号線を、コストメリットと対間スキューを一定にするために同一色にし、複数本からなる細径絶縁電源線の＋Ｖｃｃラインの絶縁体を色違いにすることにより、結線時における同軸信号線の識別を可能にする低スキュー差動伝送用多心丸型複合ケーブルである。
【発明の効果】
【０００９】
以上の説明から明らかな様に、本発明の低スキュー差動伝送用多心丸型複合ケーブルによれば、
１．対間スキュー性能の向上により、距離延長がはかることが可能になる。
２．細径絶縁電源線を隙間に並べることで、インピーダンスを下げることにより、電源線の耐ノイズ性及び電源線から信号線へのノイズの影響を大幅に小さくすることができる。
３．電源線の心数を隙間に複数本並べて増やすことが可能になるので、カメラ等に必要な給電電力の向上がはかれる。
４．複数本からなる絶縁電源線の＋Ｖｃｃラインを同軸信号線の隙間に挿入し、従来挿入していた電源ＧＮＤラインは、敢えて設けず、同軸信号線シールド（同軸ＧＮＤライン）を適用することにより、細径化が得られる。
５．電源線の絶縁体を色違いにすることにより、結線時における同軸信号線の識別が容易になる。
６．嵌合相手先のコネクタの外径寸法内に収めることが可能になる。
７．従来のＴＰ（ツイストペア）タイプの場合は、コネクタに端末加工をする際、よりを戻さなければならないので、端末加工の剥き出しの長さは大きくなってしまい反射が発生してしまうのに対し、本発明の同軸線は、２心平行対なのでよりを戻さずに、そのままコネクタ加工ができるので、端末加工の剥き出しが小さくて済み、その長さが短いので、反射が小さくなり、高速伝送が可能になる。
という優れた効果を有するので、その工業的価値は大なるものがある。
【発明を実施するための最良の形態】
【００１０】
以下、本発明の低スキュー差動伝送用多心丸型複合ケーブル１の実施例を添付図面を参照して詳細に説明する。
【実施例】
【００１１】
始めに、本発明は、図１に示すように、シース１０内に中心介在８を施し、その周りに、４心以上の偶数本で対を形成した同軸信号線５をケーブル断面からみて中心介在の中央部からほぼ同一距離すなわち同層になるように配置させ、かつ前記複数本からなる同軸信号線間の隙間に絶縁被覆された１本または複数本からなる細径絶縁電源線７の＋Ｖｃｃラインを挿入し、従来挿入していた細径絶縁電源線の電源ＧＮＤラインは別に設けずに同軸信号線の同軸信号線シールド（同軸ＧＮＤライン）に適用させることにより対間の低スキュー化と細径化をはかった低スキュー差動伝送用多心丸型複合ケーブルである。ここで、本発明の同軸信号線５を２心平行対にして、信号対１の６Ａ、信号対２の６Ｂ、信号対３の６Ｃ、信号対４の６Ｄ、信号対５の６Ｅをそれぞれ形成した。また、本発明の同軸信号線５には、０．１２７ｍｍで７本よりの導体のすずめっき軟銅線を使用した。更に、細径絶縁電源線の絶縁被覆をした例としては、テープまたはコーティングまたは押出し被覆等その他の絶縁被覆されたものをいう。次に、本発明の第１のポイントとして、スキュー対策として、対より信号線よりもスキューが安定している同軸信号線を使用し、かつ、ケーブル断面からみた介在の中央部からほぼ同一距離すなわち同層になるように配置する。このような配置により、ケーブル長手方向からみた差動伝送用信号線の線長差がほぼ同一となり、結果として、線長差からみた遅延時間は同一となる。このように、伝播遅延時間差を小さくするためには、線長差が小さくなるようにする必要がある。同軸信号線が１０心で、信号対が５個の場合の本発明を図１に示し、同軸信号線が４心で、信号対が２個の場合の本発明を図２に示す。これに限らず、４心以上の偶数本であれば、一向に構わない。次に、第２のポイントとしては、電源線について、前記複数本からなる同軸信号線間の隙間に絶縁被覆された複数本からなる細径絶縁電源線７の＋Ｖｃｃラインを挿入し、従来挿入していた細径絶縁電源線の電源ＧＮＤラインは別に設けずに同軸信号線の同軸信号線シールド（同軸ＧＮＤライン）に適用させることにより細径化をはかることが可能になる。細径絶縁電源線は、差動伝送用信号線に使用されている同軸信号線シールド（同軸ＧＮＤライン）により、囲まれることによって、低インピーダンスとすることができ、耐ノイズ性能を向上させることが可能になる。このように、本発明は、対より構造の代わりに同軸構造とし、更に、スペースファクタを上げたケーブルであり、電源線からのノイズ影響と高域での安定性（特性インピーダンス等）を考慮したコア構造とした。次に、細径絶縁電源線は、隙間に心数を増やすことによって、電流容量の向上を図ることができる（流す電気の量を増やすことができる）このように、ビデオやカメラ等で必要とされる給電電力の向上がはかれるだけでなく、電源線導体を分割することによって省スペースとなり、コンパクト化がはかれる。なお、本発明の低スキュー差動伝送用多心丸型複合ケーブル１の構成表を下記の表１に示す。
【００１２】
【表１】
2010033879.tif 000003
【００１３】
次に、本発明の実施例２は、図１に示すように、実施例１の複数本からなる同軸信号線を、コストメリットと対間スキューを一定に保つために同一色にし、複数本からなる細径絶縁電源線の＋Ｖｃｃラインの絶縁体を色違いにすることにより、結線時における同軸信号線の識別が容易になる低スキュー差動伝送用多心丸型複合ケーブルである。ここで、細径絶縁電源線の＋Ｖｃｃラインとしては、低速コントロール信号線を使用しても良い。
【００１４】
本発明品の低スキュー差動伝送用多心丸型複合ケーブルと従来品の対よりタイプ多心丸型複合ケーブルの対間スキューについて、比較検討を行った。表２に示すように、本発明品の低スキュー差動伝送用多心丸型複合ケーブルの対間スキュー値の平均値は、８.０ｐｓ／ｍであるのに対し従来品の対間スキュー値は、３６．１ｐｓ／ｍで、従来品に比べて良好な結果が得られていることがわかった。
【００１５】
【表２】
2010033879.tif 000004
【００１６】
次に、本発明品の低スキュー差動伝送用多心丸型複合ケーブルと従来品の対よりタイプの多心丸型複合ケーブルの電源線のインピーダンス（導体抵抗）についての比較検討結果を表３に示す。本発明品の低スキュー差動伝送用多心丸型複合ケーブルは、従来品の丸型複合ケーブルに比較して、良好な結果を示していることがわかった。
【００１７】
【表３】
2010033879.tif 000005
【００１８】
本発明の場合、代表的なケーブル構造として、例えば、同軸信号線や外周シールド１、２や１０心と４心の場合、介在が丸型で説明したが、要は、中心介在の中央部からほぼ同一距離すなわち同層になるように配置させれば良く、介在の有無は問わず、各種の変形を含むものであることはいうまでもない。
【産業上の利用可能性】
【００１９】
本発明の低スキュー差動伝送用多心丸型複合ケーブルは、高速画像伝送に対応したカメラリンクケーブル以外のＬＶＤＳ（低電圧差動信号）等への幅広い応用展開が可能になる。
【図面の簡単な説明】
【００２０】
【図１】本発明の低スキュー差動伝送用多心丸型複合ケーブル１の構造断面図である。
【図２】本発明の低スキュー差動伝送用多心丸型複合ケーブル１と従来の丸型複合ケーブル１´の対間スキューについて比較説明図である。
【符号の説明】
【００２１】
１    本発明の低スキュー差動伝送用多心丸型複合ケーブルの実施例
２    導体
３    絶縁体
４    同軸信号線シールド（同軸ＧＮＤライン）
５    同軸信号線
６Ａ  信号対１
６Ｂ  信号対２
６Ｃ  信号対３
６Ｄ  信号対４
６Ｅ  信号対５
７    細径絶縁電源線の＋Ｖｃｃライン
８    介在
９Ａ  外周シールド１
９Ｂ  外周シールド２
10    シース
１′  従来の丸型複合ケーブルの実施例
２′  導体
３′  絶縁体
４′  対より信号線シールド
６Ａ′信号対１
６Ｂ′信号対２
７′  絶縁電源線の＋Ｖｃｃライン
７″  絶縁電源線のＧＮＤライン
10′  シース
11′  対より信号線
【図１】
2010033879.tif 000006
【図２】
2010033879.tif 000007